(57)【要約】【課題】本発明は、少なくとも２個の異なる駆動ユニットがクレーンに択一的に連結可能である、クレーン、特にクローラ式クレーンに関する。本発明はさらに、適切な駆動ユニットに関する。【解決手段】少なくとも２個の異なる駆動ユニットがクレーンに択一的に連結可能である、クレーン、特にクローラ式クレーンによって解決される。【選択図】図１
2015117135.tif 000002
【特許請求の範囲】
【請求項１】
少なくとも２個の異なる駆動ユニット（２）がクレーン（１）に択一的に連結可能である、クレーン（１）、特にクローラ式クレーン。
【請求項２】
前記クレーン（１）が下部走行体と上部旋回体（１１）をそれぞれ少なくとも１個ずつ備え、前記下部走行体および／または前記上部旋回体（１１）が固定設置された前記駆動ユニット（２）を備えていないことを特徴とする請求項１に記載のクレーン（１）。
【請求項３】
複数の前記駆動ユニット（２）が少なくとも１個ずつの内燃機関（２２）と少なくとも１個の油圧ポンプ（２３）および／または少なくとも１個の発電機（２３）を備えていることを特徴とする請求項１または２に記載のクレーン（１）。
【請求項４】
前記駆動ユニット（２）の前記内燃機関（２２）がそれによって守られる排ガス基準および／またはそれに必要な運転媒体に関して異なっていることを特徴とする請求項３に記載のクレーン（１）。
【請求項５】
前記駆動ユニット（２）が簡単に交換できるように前記クレーン（１）に連結可能であることを特徴とする請求項１〜４のいずれか一項に記載のクレーン（１）。
【請求項６】
前記駆動ユニット（２）が前記クレーン（１）の前記下部走行体および／または前記上部旋回体（１１）に連結可能であることを特徴とする請求項２〜５のいずれか一項に記載のクレーン（１）。
【請求項７】
同時に１個よりも多い駆動ユニット（２）が前記クレーン（１）に連結可能であり、前記駆動ユニット（２）がそれによって守られる排ガス基準および／またはそれに必要な運転媒体に関して異なっていないことを特徴とする請求項１〜６のいずれか一項に記載のクレーン（１）。
【請求項８】
前記駆動ユニット（２）が普通のバラストの代わりにおよび／または付加的なバラストとして前記クレーン（１）に連結可能であることを特徴とする請求項１〜７のいずれか一項に記載のクレーン（１）。
【請求項９】
前記クレーン（１）が移動不可能であるかまたは制限的にのみ移動可能である前記クレーン（１）の運転モードで、前記駆動ユニット（２）を前記クレーン（１）の近くの地面上に降ろすことができることを特徴とする請求項１〜８のいずれか一項に記載のクレーン（１）。
【請求項１０】
請求項１〜９のいずれか一項に記載のクレーン（１）に連結可能な駆動ユニット（２）。
【発明の詳細な説明】
【技術分野】
【０００１】
本発明は、クレーンに択一的に連結可能である駆動ユニットを備えたクレーン、特にクローラ式クレーンに関する。
【背景技術】
【０００２】
例えばクローラ式クレーンのようなクレーンは技術水準で知られている。このクレーンは、きわめて大きな荷物を持ち上げるためあるいはきわめて大きな高低差を克服するために設計された大型クレーンとして形成可能である。
【０００３】
大型クレーンとして設計されたこのようなクレーンは、持続的に定置されて使用されるのではなく、世界中のいろいろな使用場所でフレキシブルに使用可能である。そのために、このような大型クレーンを、組み立てまたは分解できるような構造および分解した状態で全世界に移動できるような構造で提供することが知られている。
【０００４】
クレーンのこのような世界規模での使用の場合、クレーンは、外的条件に基づいて異なる要求がクレーンに課せられるいろいろな地域で使用可能である。その際、異なる気象条件が問題であり、この気象条件のために、クレーンに挿入された駆動装置の所定の燃料は非常に適しているかまたはあまり適していない。さらに、クレーンの駆動装置の作動状態に関するいろいろな現行の規定が問題である。
【０００５】
その際、クレーンの駆動装置が例えば或る地域の現行の排ガス規定を守らないかまたは温かい気象条件に基づいて、付加的な高価な冷房システムの使用下で例えば尿素のような所定の運転媒体だけしか使用できないという問題がある。従って、駆動システムが使用場所の要求に適切に適合していないクレーンは、場合によっては上記の使用場所で使用することができない。
【発明の概要】
【発明が解決しようとする課題】
【０００６】
そこで、本発明の課題は、いろいろな使用場所で使用することができるクレーンを提供することである。
【課題を解決するための手段】
【０００７】
この課題は本発明に従い、少なくとも２個の異なる駆動ユニットがクレーンに択一的に連結可能である、請求項１の特徴を有するクレーン、特にクローラ式クレーンによって解決される。
【０００８】
少なくとも２個の異なる駆動ユニットによって択一的に運転するためのクレーンのこのような実施は、クレーンの使用場所の実状に応じてふさわしい駆動ユニットをクレーンに設けることを可能にする。クレーンは適当な駆動ユニットから容易に分離可能であり、道路運搬用駆動ユニットからも分離可能である。クレーンと１個または複数個の駆動ユニットの間の連結は例えば専用に設けた連結要素に取り付けることによって行われる。同様に、１個または複数個の駆動ユニットをクレーンにボルト止めすることもできる。その際、クレーンとの簡単な連結またはクレーンからの簡単な連結解除を可能にするために、１個または複数個の駆動ユニットをモジュール方式に形成することができる。
【０００９】
他の有利な実施形では、クレーンが下部走行体と上部旋回体をそれぞれ少なくとも１個ずつ備え、下部走行体および／または上部旋回体が固定設置された駆動ユニットを備えていない。
【００１０】
固定設置された１個の駆動ユニットまたは固定設置された複数個の駆動ユニットを備えていないことにより、クレーンを運転するために公知のごとくクレーンの使用場所の実状に依存して必要な駆動ユニットをクレーンに取り付けることが簡単かつ有利に可能である。その際、クレーン構成要素、すなわち特に１個または複数個の駆動ユニットを搬送するために、この駆動ユニットをクレーンから分離してあるいは駆動ユニットを互いに分離して搬送できることが重要である。クレーンの上部旋回体は、それを下部走行体に回転可能に連結する回転継手を備えることができる。
【００１１】
他の有利な実施形では、複数の駆動ユニットが少なくとも１個ずつの内燃機関と少なくとも１個の油圧ポンプおよび／または少なくとも１個の発電機を備えている。
【００１２】
その際、駆動ユニットは内燃機関一式、すなわち燃料タンク、冷却装置、ファン、制御装置等を有する内燃機関を備えることができる。さらに、高性能で調節可能な少なくとも１個の油圧ポンプを内燃機関に設けることができる。このポンプはオイルタンクに接続可能である。さらに、外部の消費装置を駆動するための接続個所を駆動ユニットに設けることができる。
【００１３】
本発明に係る解決策は同様に、油圧ポンプの代わりに発電機を使用することができる。この場合、駆動ユニットとクレーンの間に油圧接続部を設けないで、電気的な接続部が設けられている。さらに、油圧モータの代わりに、電動機を設けることができる。このような発電機セットは世界中で別個の構成要素として追加購入可能であり、そしてクレーンに連結可能である。
【００１４】
さらに、発電機を使用する場合には代替的に、電気エネルギーを油圧エネルギーに変換しないで、少なくとも１個またはすべてのクレーンアクチュエータを電気的に直接駆動することができる。例えば旋回機構駆動装置またはジブの駆動装置を電気的に駆動することが考えられる。いろいろな回転数を達成できるようにするために、周波数変換器を使用することが考えられる。
【００１５】
上部旋回体が固有の一次エネルギー供給部を備えていない実施形では、上部旋回体に専ら油圧モータを設けることができる。この油圧モータは例えばポンプ用動力分配ギヤボックスを介してクレーンアクチュエータ用の種々のポンプに連結可能である。空調用コンプレッサは駆動ユニット内に設けてもよいし、ポンプと共に上部旋回体内に設けてもよい。
【００１６】
連結要素を介して１個の駆動ユニットまたは複数個の駆動ユニットとクレーンの間の機械的な連結を行う際または行った後で、油圧接続を行うことができる。同様に、１個の駆動ユニットまたは複数個の駆動ユニットとクレーンの間で、電気的接続またはデータ接続のような他の接続を行うかまたは設けることができる。
【００１７】
他の実施形では、駆動ユニットの内燃機関がそれによって守られる排ガス基準および／またはそれに必要な運転媒体に関して異なっている。
【００１８】
その際、例えば駆動ユニットの内燃機関をディーゼルエンジンとして形成し、他の駆動ユニットの内燃機関をガスエンジンとして形成することができる。常に一定の回転数で運転される定回転エンジンを使用することもできる。このような場合、定回転エンジンは消費装置を直接操作するかまたは適当なエネルギーアキュムレータに充電または充填する。例えば尿素のような所定の付加的な運転媒体が供されない地域または過大な費用をかけてのみ供される地域で、クレーンが使用されるときには、用意するのにコストのかかるこのような運転媒体に頼らなくてもよい内燃機関を備えた少なくとも１個の駆動ユニットが提供される。これは特に、クレーンが暑い国で使用されるときに有利である。というのは、尿素が低い沸点を有し、それによって持続的で入念な冷却が必要であるからである。さらに、守るべき排ガス基準があまり厳しくない場合には、粗野な駆動ユニットを使用することができる。
【００１９】
他の有利な実施形では、駆動ユニットが簡単に交換できるようにクレーンに連結可能である。
【００２０】
これによって、計画された使用場所の実状に依存して、クレーンの有利で簡単で迅速な組み立てまたは分解が可能になる。
【００２１】
他の有利な実施形では、駆動ユニットがクレーンの下部走行体および／または上部旋回体に連結可能である。
【００２２】
駆動ユニットをクレーンのいろいろな範囲にフレキシブルに設けることができると、クレーンのいろいろな大まかな負荷計画に対応することができ、そして実際の大まかな負荷計画にできるだけ合うようにクレーンを構成することができるという利点がある。その際、駆動ユニットを下部走行体に設けることもでき、そして例えばロータリジョイントを経て、上部旋回体の油圧モータに油を供給することできる。
【００２３】
他の実施形では、同時に１個よりも多い駆動ユニットがクレーンに連結可能であり、駆動ユニットがそれによって守られる排ガス基準および／またはそれに必要な運転媒体に関して異なっていない。
【００２４】
クレーンが運転のために大きな出力を必要とする大型クレーンであると、クレーンを運転するために、２個またはそれ以上の駆動ユニットと付属の油圧モータを必要とし、かつこの駆動ユニットと油圧モータを適切に使用する必要がある。
【００２５】
他の有利な実施形では、駆動ユニットが普通のバラストの代わりにおよび／または付加的なバラストとしてクレーンに連結可能である。
【００２６】
これにより、クレーンの運転のために必要なバラストの全量あるいはクレーンのバラスト調整のために必要な部分を低減することができる。その際、駆動ユニットは駆動力の供給とバラスト重量の提供の二重機能を発揮する。それによって、クレーンを搬送するための物流コストまたはクレーン構成部品が低減されるという利点がある。
【００２７】
他の有利な実施形では、クレーンが移動不可能であるかまたは制限的にのみ移動可能であるクレーンの運転モードで、駆動ユニットをクレーンの近くの地面上に降ろすことができる。
【００２８】
本発明はさらに、請求項１〜９のいずれか一項に記載のクレーンに連結可能な駆動ユニットに関する。
【００２９】
更なる詳細と本発明の効果を図に基づいて説明する。
【図面の簡単な説明】
【００３０】
【図１】クレーンの上部旋回体に連結された駆動ユニットの概略図である。
【図２】クレーンに連結された駆動ユニットの詳細図である。
【発明を実施するための形態】
【００３１】
図１に示した駆動ユニット２は接続要素２１を介してクレーン１の上部旋回体１１に接続されている。クレーン１は図示した実施の形態ではそれ以外の駆動ユニットを備えていない。
【００３２】
図２はクレーン１またはクレーン１の上部旋回体１１を示している。上部旋回体１１は回転継手１２を介して図示していない下部走行体に連結可能である。上部旋回体１１は旋回機構駆動装置１６を介して下部走行体と相対的に旋回揺動可能である。下部旋回体と上部旋回体１１の間の動力伝達および／または情報伝達はロータリジョイント２９を介して行うことができる。
【００３３】
図示した実施の形態において、上部旋回体１１にはさらに、１個のポンプ１５または複数個のポンプ１５を駆動するための油圧モータ１３が設けられている。この場合、ポンプ１５はポンプ用動力分配ギヤボックス１４を介して駆動制御可能である。大型クレーンの場合にはさらに、できるだけ多くのポンプ１５を運転するために、複数個、例えば２個の油圧モータ１３を設けることができる。上部旋回体１１にはさらに、制御装置および／またはタンクのような他のユニット２８を設けることができる。
【００３４】
上部旋回体１１は、接続部２６、例えば図示した実施の形態のような油圧式接続部２６を介して１個または複数個の駆動ユニット２に接続可能である。駆動ユニット２は例えばディーゼルエンジンとして形成可能な少なくとも１個の内燃機関２２を備えることができる。この内燃機関２２は図示した実施の形態に示すように、少なくとも１個の油圧ポンプ２３に接続可能である。この油圧ポンプは接続部２６を接続するための適当な接続個所２５を備えている。
【００３５】
駆動ユニット２はさらに、運転室の空調制御を行うことができる１個または複数個のコンプレッサ式空調設備または空調用コンプレッサ２７を備えている。大型クレーンの場合にはさらに、２個以上の空調用コンプレッサ２７を駆動ユニット２に設けることができる。
【００３６】
さらに、オイルタンク２４、燃料タンクまたはその他のユニット２８のような装置を駆動ユニット２に設けることができる。その他のユニットは例えば制御装置および／またはタンク等である。
【００３７】
その際、駆動ユニット２は、１２００回転／分で約３５０ｋＷの出力を生じる内燃機関２２を備えることができる。勿論、異なる性能の内燃機関２２も使用可能である。
【００３８】
駆動ユニット２は慣用のすべてのクローラ式クレーンに適している。大型クレーン１は同じような駆動ユニット２を複数個同時に使用可能である。
【００３９】
内燃機関２２を始動するために、油圧ポンプ２３の送出量をゼロにセットすることができる。それによって、低い温度の場合にも内燃機関２２を容易に始動することができる。
【００４０】
車両式クレーンまたはクレーン１の場合、無負荷運転の割合が８０％以下であるので、無負荷運転相の間はポンプ２３をゼロストロークに調節することができ、それによって大幅な燃料節約が達成可能である。このような場合、クレーン１の空調設備の機能を維持するために、空調用コンプレッサ２７を駆動ユニット２に設けなければならない。それによって、すべての油圧モータ１３とポンプ１５が停止する。ポンプ２３と場合によっては空調コンプレッサ２７が無負荷運転に移行する。それに起因する節約に対して、普通のクレーン運転における効率低下が相対峙する。この効率低下は普通のクレーン運転時に必要な油圧波によって生じる。しかし、普通のクレーン運転が内燃機関２２の運転時間の約２０％にすぎないので、クレーン１の運転時間全体における燃料が節約される。
【００４１】
駆動ユニット２の２つまたはそれ以上のバージョンが考えられる。その際、一方のバージョンは、欧州や米国での使用のために設計され、この場合例えばＥＰＡ  ＴＩＥＲ  ４に係る排ガス基準または９７／６８／ＥＧ  ＩＶに係る排ガス段階が守られる。駆動ユニット２の他のバージョンは世界の他の部分での使用のために設計され、例えば９７／６８／ＥＧ  ＩＩＩＡに係る排気ガス段階が守られる。
【００４２】
大型クレーン１において例えば２つの駆動ユニット２が設けられている場合には、自動的で完全な緊急運転が可能である。
【００４３】
一方の駆動ユニット２が故障した場合、他方の駆動ユニット２を、故障した駆動ユニットの代わりとして、クレーン１の使用現場に運ぶことができる。故障した駆動ユニット２は例えば整備工場で整備することができる。クレーン１自体は第２の代替駆動ユニット２によって比較的に迅速に運転開始され、そして整備工場での良好な作業条件が故障した駆動ユニット２の整備の質を向上させる。
【００４４】
全体として、クレーンメーカーではクレーン１または上部旋回体１１から駆動ユニットを分離することによって少しだけ追加コストがかかるが、それによって多大な物流上の利点が生じる。さらに、多数の種類のクレーンのために、駆動ユニット２を１種類または２種類だけ設計および製作することができる。これによって、駆動ユニット２の製造時に節約が生じる。
【図１】
2015117135.tif 000003
【図２】
2015117135.tif 000004